(57)【要約】【課題】安全に使用でき、便利にメンテナンス及び使用ができる壁取付型リミットスイッチを提供する。【解決手段】下ケース１があり、接線導電片２１、接線導電片２２、中導電片２３を有する導電片セット２がある。接線導電片２１、接線導電片２２は、下ケース１の中に設けられている。中導電片２３は間隔空間Ｂに設けられ、導電接合部２３３が設置されている。主体３１、導電片３３を有するプッシュボタン機構３があり、導電片３３は間隔空間Ｂに設けられて導電接点３３２が設けられている。上ケース４があり、上ケース４は下ケース１と接合可能になり、挿入孔４３が設置されている。ヒューズ５１、導電柱５２を有するリミット装置５があり、ヒューズ５１は安全な電流値に対応して設置され、導電柱５２がヒューズ５１の両端と接合し、挿入孔４３に挿入されている。【選択図】図１
0003133218.tif 000002
【実用新案登録請求の範囲】
【請求項１】
外部の導線を通して接続するための貫通孔を有する下ケースがあり、二個の接線導電片、中導電片を有する導電片セットがあり、前記二個の接線導電片が間隔空間を持つように下ケースの中に設けられ、一つの接線導電片において間隔空間と対応する位置に導電接点が設置され、もう一つの接線導電片に導電接合部が設けられ、中導電片が二個の接線導電片と抵触しないように間隔空間の位置に設けられ、中導電片に導電接合部が設置され、主体、導電片を有するプッシュボタン機構があり、導電片が前記間隔空間の位置に設けられて前記導電接点と対応する位置に導電接点が設けられ、主体に従って導電片が移動して動作可能になり、プッシュボタン機構の主体を納めるための貫通孔を有する上ケースがあり、上ケースは下ケースと接合可能になり、前記導電接合部と対応する位置に其々挿入孔が設置され、ヒューズ、導電柱を有するリミット装置があり、前記ヒューズは設定された安全な電流値に対応して設置され、導電柱がヒューズの両端と接合しており、其々二個の導電接合部と抵触するように前記挿入孔に挿入して置くことが可能であることを特徴とする壁取付型リミットスイッチ。
【請求項２】
下ケースは、各導電片セットを納めるための窪み部を有することを特徴とする請求項１記載の壁取付型リミットスイッチ。
【請求項３】
一つの接線導電片及び中導電片には、其々下ケースの横まで伸びる延伸片が設置され、延伸片に可とうの導電接合部が設けられていることを特徴とする請求項１記載の壁取付型リミットスイッチ。
【請求項４】
プッシュボタン機構の主体と導電片との間に弾性パーツが設置され、前記主体は上ケースと対応して揺れることが可能であり、中央の下方に弾性パーツの一端を覆うためのさや管があり、導電片はＵ型を呈し、弾性パーツの他の一端を納めることが可能であり、一方、プッシュボタンを揺るがすと、導電片を連れて動作可能であることを特徴とする請求項１記載の壁取付型リミットスイッチ。
【請求項５】
リミット装置に更に耐熱絶縁スリーブ、カバーが設置され、前記耐熱絶縁スリーブとは良好な耐熱絶縁性を有するものでヒューズ及び一部の導電柱を覆っており、カバーは硬質の耐熱絶縁の材質で造られ、耐熱絶縁スリーブ及び一部の導電柱を覆っていることを特徴とする請求項１記載の壁取付型リミットスイッチ。
【考案の詳細な説明】
【技術分野】
【０００１】
本考案は、壁取付型リミットスイッチに関する。
【背景技術】
【０００２】
普通、建築物への配電施工に当たっては、壁内に線路を埋め込んでおきながら、照明回路も設けるようになり、そして、照明回路には照明器具を制御するために壁に取付ける幾つかの制御スイッチが設けてあり、且同一のノーヒューズ遮断機によって保護され、又、壁内に他の回路も設けてある。
図７と図８に示したものは、従来の壁スイッチの構造であり、主としては、下ケース１’、二個の導電片２’、導電片３’、プッシュボタン機構４’、上ケース５’からなり、且該下ケース１’の両側に其々二個の導電片２’、導電片３’を納める窪み１１’、窪み１２’を設置し、且二個の窪み１１’、窪み１２’と対応する下方に導線（図の中に未表示）を通すための貫通孔１１１’、貫通孔１２１’を設置し、又、導電片２’、導電片３’は其々抵触しないように二個の窪み１１’、窪み１２’に設け、且二個の導電片２’、導電片３’の間は間隔空間Ａを有するようにし、又、一つの導電片２’において間隔空間Ａと対応する位置に銀合金の導電接点２１’を突出して設けて、更に、他の導電片３’において間隔空間Ａと対応する位置に延伸片３１’を設け、且延伸片３１’に突出部３１１’を設置する。プッシュボタン機構４’は主体４１’、弾性パーツ４２’、導電片４３’からなり、その中において、該主体４１’は上ケース５’と対応して揺れることができ、且中央の下方には弾性パーツ４２’の一端を覆って繋ぐためのさや管４１１’がある。又、導電片４３’が間隔空間Ａの位置に設けてあり、且Ｕ型を呈し、それに弾性パーツ４２’の他の一端を受容でき、且下方において前記突出部３１１’と対応する位置に窪み４３１’を設置する。又、一側において前記銀合金の導電接点２１’と対応する位置に銀合金の導電接点４３２’を設け、又、上ケース５’にはプッシュボタン機構４’の主体４１’を納めるための貫通孔５１’があり、且固定片５２’によって下ケース１’と接合でき、プッシュボタン機構４’の主体４１’を揺るがすと、弾性パーツ４２’に連られて導電片４３’を移動させることができ、そして、図７では通電しない状態を示しており、図８では二個の導電片２’、導電片３’を導電するため、導電片４３’の銀合金の導電接点４３２’と導電片２’の銀合金の導電接点２１’とを接触させる状態を示している。
【０００３】
しかしながら、前記ような従来の壁スイッチでは、開閉の作用しか持たず、スイッチ自体にはオーバーロード保護設計がないため、実施する場合、以下のような不安全があるのである。
照明器具とは、普通、長時間で使われるものである一方、器具内の接点及び接続導線などの製品に品質不良が起きたら、高温になり易く、接触点の付近及び接続導線を焼き壊し、更に短絡をもたらして、電線の発火を起こす危険がある。
【０００４】
又、一般のデザイナーズ照明器具では、美観を要求するため、配線の布設においては限られた開閉空間内に安定器、コンデンサ、印刷回路版を設けて数十本の細い導線によって導電接続するため、取付後、熱の発散効果が悪くなるし、且温度が高すぎると、更に導線の絶縁が破壊されたり、短絡になったりする危険をもたらし、安全性が悪い欠点を持っている。
【０００５】
このほか、従来の壁スイッチの配線では、ファン、天井型扇風機或いはその他の電気製品を接続してから使用する場合もあり、ファンのモーターは、潤滑不足で引っ掛かると、異常な大電流が生じることをもたらし、モーター内のコイルによってそんな大電流を負担できなければ、自ら遮断もできないため、短絡をもたらす一方、更に配線回路が短絡になる危険をもたらすのである。
【考案の開示】
【考案が解決しようとする課題】
【０００６】
本考案の目的としては、壁取付型リミットスイッチにリミットヒューズが設置してあり、且電流が設定値を超えたら、電気を遮断して安全性を確保するほか、元の配電の受け取り方式への変更が不要で、ヒューズ交換をより便利にするため、メンテナンス及び使用の便利性を持たせる効果がある。
【課題を解決するための手段】
【０００７】
本考案では、下ケース、導電片セット、プッシュボタン機構、上ケース、リミット装置があり、該下ケースは各導電片セットを受容する窪み部があり、且両側に外部導線を通して接続するための貫通孔を設置する。又、導電片には其々外部の接続導線と導電接合するための二個の接線導電片及びプッシュボタン機構と導電接合できる中導電片があり、又、該二個の接線導電片は下ケース内に間隔空間を有するように設けてあり、一つの接線導電片において間隔空間と対応する位置に銀合金の導電接点を設置し、又、もう一つの接線導電片において下ケースの横まで伸びる延伸片を設け、且延伸片に可とうの導電接合部を設置する。又、二個の接線導電片と抵触しないように中導電片を間隔空間の位置に設けて、又、該中導電片に突出部があって、下ケースの横まで伸びる延伸片を設け、且延伸片に可とうの導電接合部を設置し、且該導電接合部と前記導電接合部との間隔距離をリミット装置の幅と対応して設置する。又、プッシュボタン機構は主体、弾性パーツ、導電片を有し、且該主体は上ケースと対応して揺れることができ、且中央の下方に弾性パーツの一端を受容するさや管がある。又、導電片は間隔空間の位置に設けられ、且Ｕ型を呈し、弾性パーツの他の一端を受容でき、且下方において前記突出部と対応する位置に窪み部を設置し、又、一側において前記銀合金の導電接点と対応する位置に銀合金の導電接点を設置する。又、上ケースにはプッシュボタン機構の主体を受容するための貫通孔があり、且固定片によって下ケースと接合でき、又、一側において前記延伸片の導電接合部と対応する位置に挿入孔を設ける。又、リミット装置にはヒューズ、導電柱、耐熱絶縁スリーブ、カバーがあり、該ヒューズは設定された安全な電流値に対応して設置し、且電流がオーバーロードになったら、焼き壊れて遮断できる。又、導電柱はヒューズの両端と接合して、二個の導電柱の一端を平行にさせる。又、耐熱絶縁スリーブは、良好な耐熱絶縁性を有し、ヒューズ及び一部の導電柱を覆っている。又、カバーは硬質の耐熱絶縁材質（例えば、アクリル）で造られ、且耐熱絶縁スリーブ及び一部の導電柱を覆っているため、電流が異常にオーバーロードになって設定値を超えたら、リミット装置を設けたヒューズは即時に焼き壊れて、且その焼き壊れ端を耐熱絶縁スリーブ内に設けることができるため、優れた絶縁効果になり、更に、絶縁のカバーの遮蔽によって、より優れた絶縁遮断の効果を収める。又、本考案では、故障をクリアしたら、既に遮断されたリミット装置を取り出して、他のリミット装置を楽に組み入れやすくなるため、兼ねてメンテナンス及び組立の便利性を収め、又、本考案の壁スイッチの配線は従来のものと同じであるため、兼ねて配線の便利性も有するのである。
【考案を実施するための最良の形態】
【０００８】
図１から図３を参考にする。本考案の一実施例による壁取付型リミットスイッチは、下ケース１、導電片セット２、プッシュボタン機構３、上ケース４、リミット装置５があり、該下ケース１は各導電片セット２を受容するための窪み部１１があり、且両側に外部の導線６と導線７を通して接続するための貫通孔１２と貫通孔１３を設置する。
又、導電片セット２は其々外部の接続導線６、接続導線７と導電接合するための二個の接線導電片２１、接線導電片２２及びプッシュボタン機構３と導電接合できる中導電片２３があり、又、該二個の接線導電片２１、接線導電片２２は其々下ケース１の窪み部１１に間隔空間Ｂを有するように設けてあり、一つの接線導電片２１において間隔空間Ｂと対応する位置に銀合金の導電接点２１１を設置し、又、もう一つの接線導電片２２において下ケース１の横まで伸びる延伸片２２１を設け、且延伸片２２１に可とうの導電接合部２２２を設置する。又、中導電片２３を間隔空間Ｂの位置に設けて二個の接線導電片２１、接線導電片２２と抵触しないようにし、又、該中導電片２３に突出部２３１があって、下ケース１の横まで伸びる延伸片２３２を設け、且延伸片２３２に可とうの導電接合部２３３を設置し、且該導電接合部２３３と前記導電接合部２２２との間隔距離はリミット装置５の幅と対応して設置される。
【０００９】
プッシュボタン機構３は主体３１、弾性パーツ３２、導電片３３を有し、且該主体３１は上ケース４と対応して揺れることができ、且中央の下方に弾性パーツ３２の一端を受容するさや管３１１がある。又、導電片３３は間隔空間Ｂの位置に設けられ、且Ｕ型を呈し、弾性パーツ３２の他の一端を受容でき、且下方において前記突出部２３１と対応する位置に窪み部３３１を設置し、又、一側において前記銀合金の導電接点２１１と対応する位置に銀合金の導電接点３３２を設置する。
【００１０】
上ケース４はプッシュボタン機構３の主体３１を受容するための貫通孔４１があり、且固定片４２によって下ケース１と接合でき、又、一側において其々前記延伸片２２１、延伸片２３２の導電接合部２２２、導電接合部２３３と対応する位置に挿入孔４３、挿入孔４４を設ける。
リミット装置５にはヒューズ５１、導電柱５２、導電柱５３、耐熱絶縁スリーブ５４、カバー５５があり、該ヒューズ５１は設定された安全電流値に対応して設置され、且電流がオーバーロードになったら、焼き壊れて遮断できる。又、導電柱５２、導電柱５３はヒューズ５１の両端と接合して、二個の導電柱５２、導電柱５３の一端を平行にさせる。又、耐熱絶縁スリーブ５４は良好な耐熱絶縁性を有し、ヒューズ５１及び一部の導電柱５２、導電柱５３を覆っている。又、カバー５５は硬質の耐熱絶縁材質（例えば、アクリル）で造られ、且耐熱絶縁スリーブ５４及び一部の導電柱５２、導電柱５３を覆っている。      
【００１１】
本実施例を以って組合わせると、プッシュボタン機構３の導電片３３の窪み部３３１は弾性パーツ３２の弾力によって中導電片２３の突出部２３１に当たることができ、且外部接続の導線６、導線７は其々貫通孔１２、貫通孔１３を通して二個の接線導電片２１、接線導電片２２と導電接合できる。又、リミット装置５の導電柱５２、導電柱５３を上ケース４の挿入孔４３、挿入孔４４から挿入して二個の導電柱５２、導電柱５３の端部は其々接線導電片２２及び中導電片２３の延伸片２２１、延伸片２３２の導電接合部２２２、導電接合部２３３と導電接合でき（図５に示したように）、一方、図３は二個の接線導電片２１、接線導電片２２が通電しない状態を示している。
【００１２】
図４、図５を参考にする。本実施例では、プッシュボタン機構３の主体３１を押すと、プッシュボタン機構３の導電片３３を移動させることができ、且プッシュボタン機構３の導電片３３の銀合金の導電接点３３２をもう一つの接線導電片２１の銀合金の導電接点２２１と抵触させたら、接線導電片２１、接線導電片２２はリミット装置５の導電柱５２、導電柱５３、ヒューズ５１、プッシュボタン機構３の導電片３３によって接触するようになって、通電状態を呈するのである。
図６を参考にする。本実施例では、電流が異常にオーバーロードになって設定値を超えたら、リミット装置５を設けたヒューズ５１は即時に焼き壊れて、且その焼き壊れ端５１１を耐熱絶縁スリーブ５４内に置くことができ、優れた絶縁効果になり、更に、絶縁のカバー５５の遮蔽によってより優れた絶縁遮断の効果を収める。
【００１３】
本実施例では、故障をクリアしたら、既に遮断されたリミット装置を取り出して、他のリミット装置を楽に組み入れやすくなるため、兼ねてメンテナンス及び組立の便利性を収め、又、本実施例の壁スイッチの配線は従来のものと同じであるため、兼ねて配線の便利性も有するのである。
このほか、本実施例において、前記銀合金の導電接点とは外へ突出して設ける必要がなく、或いは、その他の機構に取り替えることができ、そして、前記実施例は本考案の例示であり、本考案で請求する特許範囲に制限されることではなく、本考案は本考案の精神及び範疇内において変更或いは修正できる。
【図面の簡単な説明】
【００１４】
【図１】本考案の一実施例による壁取付型リミットスイッチを示す分解斜視図である。
【図２】本考案の一実施例による壁取付型リミットスイッチを示す斜視図である。
【図３】本考案の一実施例による壁取付型リミットスイッチの通電しない状態を示す断面図である。
【図４】本考案の一実施例による壁取付型リミットスイッチの通電状態を示す断面図である。
【図５】本考案の一実施例による壁取付型リミットスイッチのもう一つの組合せの通電状態を示す模式図である。
【図６】本考案の一実施例による壁取付型リミットスイッチの電流がオーバーロードになって遮断された状態を示す模式図である。
【図７】従来の壁スイッチの通電しない状態を示す断面図である。
【図８】従来の壁スイッチの通電状態を示す断面図である。
【符号の説明】
【００１５】
１：下ケース、２：導電片セット、３：プッシュボタン機構、４：上ケース、５：リミット装置、６：導線、７：導線、１１：窪み部、１２：貫通孔、１３：貫通孔、２１：接線導電片、２２：接線導電片、２３：中導電片、３１：主体、３２：弾性パーツ、３３：導電片、４１：貫通孔、４２：固定片、４３：挿入孔、４４：挿入孔、５１：ヒューズ、５２：導電柱、５３：導電柱、５４：耐熱絶縁スリーブ、５５：カバー、２１１：導電接点、２２１：延伸片、２２２：導電接合部、２３１：突出部、２３２：延伸片、２３３：導電接合部、３１１：さや管、３３１：凹部、３３２：導電接点、５１１：焼き壊れ端、Ａ：間隔空間、Ｂ：間隔空間
【図１】
0003133218.tif 000003
【図２】
0003133218.tif 000004
【図３】
0003133218.tif 000005
【図４】
0003133218.tif 000006
【図５】
0003133218.tif 000007
【図６】
0003133218.tif 000008
【図７】
0003133218.tif 000009
【図８】
0003133218.tif 000010